(57)【要約】【課題】ユニット本体の不正な再使用を防止するために、撮影済みフイルムカートリッジの取り出し動作に連動して機能不良を生じるようにしたレンズ付きフイルムユニットを提供する。【解決手段】レンズホルダ３１前面には連結部材９９が設けられている。連結部材９９は、下端が底蓋２５と連結され、底蓋２５の開放に連動して上下方向にスライドする。連結部材９９の上端は、巻止め解除位置にある係止レバー７６の突起７６ｄの上方に配置されている。撮影が完了すると係止レバー７６は、巻止め解除位置にある。フイルムカートリッジ２０を取り出すために底蓋２５が開放されると、連結部材９９が下方にスライドする。このとき突起７６ｄに底蓋２５の開放力がかかり、突起７６ｄが折れる。これにより係止レバー７６の機能が失われる。【選択図】　　　　図３
2004118058.tif 000002
【特許請求の範囲】
【請求項１】
フイルムカートリッジが装填されるカートリッジ室と、このカートリッジ室を開閉する蓋体と、フイルムの巻上げ量を一定にするフイルム巻止め機構と、シャッタ羽根を開閉させるシャッタ機構とを備えたレンズ付きフイルムユニットにおいて、
前記蓋体の開放に連動して変位する連結部材を設け、この連結部材の変位により、前記フイルム巻止め機構とシャッタ機構を構成する複数の部品のうちの少なくとも１つを破壊することを特徴とするレンズ付きフイルムユニット。
【請求項２】
前記連結部材により破壊される部品は、撮影済みのフイルムをフイルムカートリッジ内に巻き上げる巻上げノブの動きを規制する係止レバーであることを特徴とする請求項１記載のレンズ付きフイルムユニット。
【請求項３】
前記連結部材により破壊される部品は、シャッタ羽根を蹴飛ばしてフイルムを露光させるシャッタ駆動レバーであることを特徴とする。請求項１記載のレンズ付きフイルムユニット。
【発明の詳細な説明】
【０００１】
【発明の属する技術分野】
本発明は、ユニット本体の不正な再使用を防止するために改良を施したレンズ付きフイルムユニットに関するものである。
【０００２】
【従来の技術】
レンズ付きフイルムユニットは、簡単な撮影機構が内蔵されたユニット本体と、このユニット本体に装填されたフイルムカートリッジとからなる。このレンズ付きフイルムユニットは、廉価で使用も簡単であることから広く普及している。
【０００３】
レンズ付きフイルムユニットは、使用後にそのままの状態で現像所に提出される。現像所では、ユニット本体から露光済みのフイルムを取り出して現像及びプリント処理を行う。使用後のユニット本体は、ユーザーに返却されることはなく、メーカーに回収されて各部品ごとに分解される。構成部品のほとんどは樹脂成形品であるため、損傷が甚だしくそのまま再利用できない場合には、破砕，溶融して樹脂ペレットとして再び原材料に用いられる。また、各種撮影機能が組み込まれた露光ユニットについては、機能検査を行い、異常がなければそのまま再利用される。
【０００４】
最近、レンズ付きフイルムユニットを製造したメーカー以外の第三者が、使用済みのユニット本体を流用して、新たなフイルムカートリッジを装填した詰め替え品が大量に市場に出回っている。このような詰め替え品の多くは、機能検査などが行われておらず、単に新しいフイルムカートリッジを装填しただけのものである。
【０００５】
適性な品質検査を行わず、機能保証のないままにユニット本体を再利用すると、新たに装填したフイルムに損傷を与える等の写真品質の劣化を招く可能性や、撮影機構の劣化による動作不良で、適正な撮影を行えなくなる可能性がある。このような詰め替え品は、一般ユーザーに対してレンズ付きフイルムユニットの信頼性を低下させるなどの悪影響を生じさせる。
【０００６】
これらの対策のために、撮影済みフイルムカートリッジの取り出し動作に伴って、シャッタ羽根を付勢するバネを取り付け部材からはずす、もしくは、取り付け部材そのものを破損させて、シャッタ機能を損なわせ、フイルムカートリッジの詰め替え品の流通を防ぐレンズ付きフイルムユニットが知られている（例えば、特許文献１参照。）。
【０００７】
【特許文献１】
特開２００１−０５１７３６号公報
【０００８】
【発明が解決しようとする課題】
しかしながら、従来のレンズ付きフイルムユニットでは、はずしたバネを元通りに配置し直すことで簡単に再利用が可能である。また、取り付け部材を破損させてしまうと露光ユニット全体が再利用できなくなるため、正規のメーカーによるリサイクルにも支障をきたしてしまう。
【０００９】
本発明は上記事情を考慮してなされたもので、不正規なフイルム詰め替えによる再販売を防ぎ、さらには、正規メーカーによるリサイクルに及ぼす影響も少ないレンズ付きフイルムユニットを提供することを目的とする。
【００１０】
【課題を解決するための手段】
上記目的を達成するために、本発明のレンズ付きフイルムユニットは、フイルムカートリッジが装填されるカートリッジ室と、このカートリッジ室を開閉する蓋体と、フイルムの巻上げ量を一定にするフイルム巻止め機構と、シャッタ羽根を開閉させるシャッタ機構とを備えたレンズ付きフイルムユニットにおいて、前記蓋体の開放に連動して変位する連結部材を設け、この連結部材の変位により、前記フイルム巻止め機構とシャッタ機構を構成する複数の部品のうちの少なくとも１つを破壊することを特徴としている。
【００１１】
前記連結部材により破壊される部品は、撮影済みのフイルムをフイルムカートリッジ内に巻き上げる巻上げノブの動きを規制する係止レバーであってもよいし、シャッタ羽根を蹴飛ばしてフイルムを露光させるシャッタ駆動レバーであってもよい。
【００１２】
【発明の実施の形態】
図１に示すように、レンズ付きフイルムユニット２は、予めフイルムカートリッジが装填されるとともに簡単な撮影機構が組み込まれ、主にプラスチック成形品で構成されたユニット本体３と、この中央部に帯状に巻き付けて覆うラベル４とから構成されている。ユニット本体３の外面には、ストロボ発光部５，レリーズボタン６，カウンタ窓７，ファインダ８，撮影レンズ９，ストロボ充電開始ボタン１０などが設けられている。ユニット本体３の背面側には、１コマの撮影毎に回動操作される巻き上げノブ１１が露呈されている。
【００１３】
図２に示すように、ユニット本体３は、本体基部１３と、露光ユニット１４と、ストロボユニット１５と、前カバー１７及び後カバー１８とから構成されている。本体基部１３の中央に設けたアパーチャ部２９の両側には、カートリッジ室１３ａとフイルムロール室１３ｂとが一体形成されており、このそれぞれに、フイルムカートリッジ２０を構成するカートリッジ２１と、これから引き出してロール状にしたフイルム２２とを収納している。巻き上げノブ１１はカートリッジ室１３ａの上部に回動自在に組み付けられている。
【００１４】
露光ユニット１４は、撮影レンズ９やシャッタ機構，フイルムカウンタ機構、フイルム巻止め機構などを備えており、アパーチャ部２９の前面に着脱自在に組み付けられている。後述するように、露光ユニット１４に備えられた各種機構は、フイルム２２の巻き上げ、シャッタレリーズに伴い互いに連動して動作するカム部材、係止レバー、シャッタ駆動レバーなどにより制御され機能する。また、露光ユニット１４の前面には、底蓋２５と連結し、底蓋２５の開放に伴ってスライドする連結部材９９が配置されている。
【００１５】
ストロボユニット１５を構成する回路基板２３には、２つの金属片からなるシンクロスイッチ２３ａを含むストロボ回路が形成されている。回路基板２３には、ストロボ発光部５や電源用の電池２４等が組み込まれており、本体基部１３の前面のフイルムロール室１３ｂ側に組み付けられる。
【００１６】
前カバー１７は、本体基部１３の前面側を覆うように組み付けられ、前カバー１７の表面を一部切り欠いてレリーズボタン６とストロボ充電開始ボタン１０とが一体に形成されている。後カバー１８は、カートリッジ室１３ａ及びフイルムロール室１３ｂを覆うように本体基部１３の背面側に組み付けられている。
【００１７】
カートリッジ室１３ａとフイルムロール室１３ｂのそれぞれの底部開口は、後カバー１８に一体に設けられた底蓋２５，２６により塞がれている。この底蓋２５を下方に開放して、撮影済みとなったフイルムカートリッジ２０が取り出される。底蓋２５には、連結部材９９を連結し、底蓋２５の開閉に連動してこの連結部材９９をスライドさせるための一対の連結爪２５ａ、２５ｂが一体に設けられている。
【００１８】
図３に示すように、露光ユニット１４は、ベース部材３０に各種部品が組み付けられてユニット化されたものである。ベース部材３０の上面には、シャッタ機構、フイルム巻き止め機構、フイルムカウンタ機構などを構成する係止レバー７６、バネ８３，８４、シャッタ駆動レバー８１，カウンタ表示板８７，カム部材８６などが組み込まれている。各部品は、ベース部材３０の上部に組み込んだ天板８８により、外れないように抑えられている。ベース部材３０の前面には、レンズホルダ３１が取り付けられており、背面には、カム部材８６の軸８６ａに連結されたスプロケット８０が組み込まれている。
【００１９】
バネ８３は、一端が係止レバー７６の突起７６ｄに、他端がベース部材３０の突起３０ａに支持されるように配置され、係止レバー７６を矢印方向に付勢している。一方、バネ８４は、一端がシャッタ駆動レバーの突起８１ｃに、他端がベース部材３０の接眼レンズ支持柱３０ｂに支持されるように配置され、シャッタ駆動レバー８１を矢印方向に付勢している。カム部材８６には、上方から順に、表示板歩進用の一歯ギヤ８９，巻き止めカム９０，シャッタチャージカム９１が一体に設けられている。
【００２０】
巻き上げノブ１１は、その軸１１ｂがカートリッジ２１のスプール２１ａに係合しており、巻上げノブ１１をフイルム巻き上げ方向に回転操作すると、スプール２１ａが回転して撮影済みのフイルム２２をカートリッジ２１の内部に巻き上げる。フイルム２２が巻き上げられると、大小一対のパーフォレーション２２ａに噛合したスプロケット８０とともにカム部材８６が回転される。
【００２１】
カム部材８６の巻き止めカム９０には、係止レバー７６の爪部７６ｂが摺接している。巻き止めカム９０は、フイルム巻き上げに連動して係止レバー７６を巻き止め解除位置からバネ８３の付勢に抗して回転させる。１コマ分の長さだけフイルム２２が巻き上げられると、巻き止めカム９０が所定量だけ回転し、巻き止めカム９０に設けた溝９０ａが爪部７６ｂに対面する。このとき、爪部７６ｂが溝９０ａに入り込み、係止レバー７６がバネ８３の付勢により巻き止め位置に回転する。これにより、スプロケット８０の回転が阻止される。
【００２２】
また、これと同時に、係止レバー７６の係止爪７６ａが巻き上げノブ１１の歯列１１ａに噛合して、巻き上げノブ１１のフイルム巻き上げ方向の回転を阻止する。なお、スプロケット８０の１コマ分に対応した回転により、一歯ギヤ８９がカウンタ表示板８７を一歩進させる。
【００２３】
シャッターチャージカム９１には、シャッタ駆動レバー８１の突起８１ａが摺接している。シャッタ駆動レバー８１は、前記カム部材８６の回転によりシャッターチャージカム９１に突起８１ａが押され、バネ８４の付勢力に抗して走行完了位置からチャージ位置に向けて回転する。そして、係止レバー７６の下方に向けて突出された係合突起７６ｃに、シャッタ駆動レバー８１から上方に向けて突出された被係合突起８１ｂが係合して、巻き止め位置にある係止レバー７６によってシャッタ駆動レバー８１がチャージ位置に保持される。
【００２４】
レリーズボタン６は、弾性を有する材料で形成されており、下面には、押圧ロッド６ｃが一体に設けられている。押圧ロッド６ｃは、レリーズボタン６が押圧されたときに、巻き止め位置にある係止レバー７６の突起７６ｄをバネ８３の付勢に抗して巻止め解除位置へ向けて押圧し、チャージ位置にあるシャッタ駆動レバー８１の保持を解除させる。これにより、シャッタ駆動レバー８１がバネの付勢によって走行完了位置に向けて瞬時に回転する。この回転途中で被係合突起８１ｂから下方に延びる蹴飛ばし部８１ｄが、シャッタ羽根を蹴飛ばす。これにより、シャッタ羽根が撮影レンズの背後で横切るように回転してシャッタ開口を開放する。
【００２５】
露光完了後には、走行完了位置にあるシャッタ駆動レバー８１によって係止レバー７６が巻き止め解除位置で保持される。これにより、巻き上げノブ１１のフイルム巻き上げ方向の回転ロックとスプロケット８０の回転ロックとが解除され、次回のフイルム巻き上げ操作が許容される。係止レバー７６は、巻止め位置と巻止め解除位置との間で移動するが、フイルム巻上げ時及び、全てのコマに撮影がなされた撮影終了時には、巻止め解除位置にある。
【００２６】
レンズホルダ３１の前面には、撮影レンズ９が配置され、さらにその上からホルダ３１ａが嵌め込まれる。これにより撮影レンズ９は、レンズホルダ３１とホルダ３１ａとの間に保持される。また、レンズホルダ３１の前面には、棒形状の連結部材９９を上下方向でスライド自在に保持する一対の突条３１ｃ、３１ｄが形成されている。連結部材９９の上端部には係合爪９９ａが、下端部には連結爪９９ｂが設けられている。連結爪９９ｂは、底蓋２５の連結爪２５ａ、２５ｂの間に嵌め込まれ、底蓋２５の開閉に連動してスライドする。
【００２７】
図４に示すように、連結部材９９は、係合爪９９ａをベース部材３０の上方に突出させ、この突出した係合爪９９ａが、係止レバー７６の突起７６ｃと突起７６ｄの間にくる位置に配置される。前述の通り、係止レバー７６は、同図（ａ）に示す巻止め位置と、同図（ｂ）に示す巻止め解除位置との間で回転するが、係止レバー７６がどちらの位置にある場合も連結部材９９と干渉しないようになっている。
【００２８】
係止レバー７６が巻止め解除位置にあるときには、係合爪７６ａの下方に突起７６ｄが配置されている。このとき、連結部材９９が下方にスライドすると係合爪９９ａと突起７６ｄが係合し、突起７６ｄには、下方に対して力が加えられる。そして、図４（ｃ）に示すように、連結部材９９がさらに下方にスライドすると、突起７６ｄは係合爪９９ａによって破壊される。なお、突起７６ｄを確実に破壊できるように、底蓋２５と一対の連結爪２５ａ、２５ｂ及び連結部材９９は十分な強度を見込んで形成されている。
【００２９】
突起７６ｄが折れると、バネ８３は支持されないので、バネ８３による付勢がなくなり、係止レバー７６が機能しなくなる。これによって、レンズ付きフイルムユニット２からシャッタ機構、フイルム巻き止め機構が失われる。
【００３０】
以下本発明の作用について説明をする。レンズ付きフイルムユニット２を使用する際は、まず、巻き上げノブ１１を回動してフイルム巻き上げを行い、所望の被写体をファインダ内に捉えてレリーズボタン６を押下する。レリーズボタン６の押下に連動して撮影が行われる。
【００３１】
このようにして撮影を繰り返し行い、すべてのフイルム２２がカートリッジ２１に収納されると撮影終了となる。撮影が終了したレンズ付きフイルムユニット２は、そのままの状態で現像所に提出される。現像所では、底蓋２５が開放され、フイルム２２をカートリッジ２１にすべて収納したフイルムカートリッジ２０が取り出される。
【００３２】
底蓋２５の開放に連動して連接部材９９が下方にスライドすることにより、底蓋２５の開放力が係止レバー７６の突起７６ｄにかかり、突起７６ｄが折れる。このため、シャッタ機構、フイルム巻止め機構が失われ、ユニット本体３の価値がなくなるので、このユニット本体３をそのまま流用して、新たなフイルムカートリッジを装填したレンズ付きフイルムユニットの流通を防止できる。
【００３３】
また、新しい係止レバー７６を用いてリサイクルを行なおうとした場合にも、この係止レバー７６は、バネ８３による付勢が与えられて配置されるばかりでなく、その他の部材と連動して機能する部分なので、組み立てる際の配置は複雑である。よって、専用の組み立てラインを持たない者にとっては、新しい係止レバーの入手及び、組み立ては困難である。一方、専用の組み立てラインを持つ正規の業者は、新しい係止レバーを用いることによって容易に組み立てられ、再利用が可能である。
【００３４】
なお、上記実施形態では、撮影終了後に係止レバーが巻止め解除位置で停止するレンズ付きフイルムユニットを例に説明をしたが、本発明はこれに限られない。係止レバーが停止する位置に対応するように連結部材の配置位置を変更すれば、係止レバーが巻止め解除位置以外で停止するレンズ付きフイルムユニットにおいても同様の効果が得られる。
【００３５】
また、上記実施形態では、係止レバーを破壊する例で説明をしたが、シャッタ駆動レバーを破壊するようにしても同様の効果が得られる。この場合、図５に示すように、連結部材１００，１０１を用いればよい。なお、上述した実施形態と同一の部材については同一の符号を用いている。
【００３６】
棒形状の連結部材１００は、レンズホルダ３１の前面に形成された一対の突条３１ｅ、３１ｆの間で上下方向にスライド自在に設けられている。連結部材１００の上端部には連結突起１００ａが、下端部には連結爪１００ｂが設けられている。連結爪１００ｂは底蓋２５の連結爪２５ａ、２５ｂの間に嵌め込まれ、底蓋２５の開閉に連動してスライドする。
【００３７】
連結部材１０１は、略Ｕ字型をしており、一端は係合部１０１ｂとなっており、他端には連結用開口１０１ａが設けられている。また、連結部材１０１には、は設置用開口１０１ｃが設けられている。一方、レンズホルダ３１の前面には、円筒状の設置用突起３１ｇが形成されている。連結部材１０１は、設置用突起３１ｇに設置用開口１０１ｃが嵌め込まれ回転自在に支持される。連結用開口１０１ａには、連結突起１００ａが嵌め込まれている。これによって、連結部材１０１は、連結部材１００のスライドに連動して設置用開口１０１ｃを中心に回転する。
【００３８】
図６（ａ）に示すように、連結部材１０１は、Ｕ字の中央部にシャッタ駆動レバー８１の蹴飛ばし部８１ｄが突出するように配置される。連結部材１００が下方にスライドすると、連結部材１０１が回転して係合部１０１ｂが蹴飛ばし部８１ｄと係合する。そして、図６（ｂ）に示すように、さらに連結部材１００が下方にスライドすると係合部１０１ｂによって蹴飛ばし部８１ｄが折られる。これにより、シャッタ羽根を蹴飛ばせなくなるのでレンズ付きフイルムユニットからシャッタ機能が損なわれる。
【００３９】
なお、上記実施形態では連結部材として１つもしくは２つの部材を用いる場合を例に説明をしたが、本発明はこれに限られない。また、連結部材の形状は、２タイプのものを例に説明をしたが、これに限られない。３つ以上の部材を組み合わせた連結部材を用いてもよいし、上記実施例と形状の異なる連結部材を用いてもよい。連結部材の形状や構造及び配置位置などは、本発明を実施するレンズ付きフイルムユニットの形状などに応じて決定すればよい。
【００４０】
さらに、上記実施形態では、連結部材により破壊する部品は、係止レバーもしくはシャッタ駆動レバーの例で説明をしたが、そのほかの部品であってもよい。フイルム巻止め機構、シャッタ駆動機構を構成する部品であればよいので、例えば、カウンタ表示板，カム部材、天板、スプロケットなどを破壊するようにしてもよい。また、破壊する部品は、１つでなくてもよいので、２つ以上の部品を破壊するようにしてもよい。
【００４１】
【発明の効果】
以上詳細に説明したように、本発明のレンズ付きフイルムユニットによれば、撮影済みフイルムカートリッジの取り出し動作に伴って、フイルム巻止め機構とシャッタ機構を構成する複数の部品のうちの少なくとも１つを破壊するようにしたので、ユニット本体をそのまま流用して、フイルム詰め替えによる再利用ができなくなる。一方、専用の組み立て設備を持つ正規のメーカーにおいては、破壊された部品を新品に交換すれば容易に露光ユニットの再利用がができるので、省資源化に寄与することができる。
【図面の簡単な説明】
【図１】レンズ付きフイルムユニットの外観斜視図である。
【図２】レンズ付きフイルムユニットの分解斜視図である。
【図３】露光ユニットの分解斜視図である。
【図４】係止レバーと連結部材の関係を表す説明図である。
【図５】露光ユニットの分解斜視図である。
【図６】シャッタ駆動レバーと連結部材との関係を表す説明図である。
【符号の説明】
２　レンズ付きフイルムユニット
３　ユニット本体
６　レリーズボタン
１１　巻上げノブ
１３ａ　カートリッジ室
２０　フイルムカートリッジ
２１　カートリッジ
２２　フイルム
２５　底蓋
２５ａ、２５ｂ　連結爪
３０　ベース部材
３１　レンズホルダ
３１ｃ、３１ｄ、３１ｅ、３１ｆ　突条
３１ｇ　設置用突起
７６　係止レバー
７６ｄ　突起
８１　シャッタ駆動レバー
８１ｄ　蹴飛ばし部
９９　１００　１０１　連結部材
９９ａ　係合爪
９９ｂ　１００ｂ　連結爪
１００ａ　連結突起
１０１ａ　連結用開口
１０１ｂ　係合部
１０１ｃ　設置用開口
【図１】
2004118058.tif 000003
【図２】
2004118058.tif 000004
【図３】
2004118058.tif 000005
【図４】
2004118058.tif 000006
【図５】
2004118058.tif 000007
【図６】
2004118058.tif 000008